(57)【特許請求の範囲】
【請求項１】
無線通信システムにおいて帯域幅セグメント化を実行するための方法であって、端末において、
レガシー周波数帯域セグメントを備えるダウンリンクを単一キャリアで受信し、ここで、前記レガシー周波数帯域セグメントは、レガシー制御領域とレガシー・データ領域とを含む、
アドバンスト・データ領域を備える隣接するアドバンスト周波数帯域セグメントを、前記単一キャリアによって伝送されたダウンリンクで受信し、
前記レガシー制御領域を除外したアドバンスト制御領域を、前記単一キャリアによって伝送されたダウンリンクで受信する、ここで、前記端末が、前記隣接するアドバンスト周波数帯域セグメントの位置および帯域幅に関する情報を、専用シグナリングから、または、システム情報ブロック（ＳＩＢ）から読み取る、
動作を実現するために、コンピュータ読取可能記憶媒体に格納されたコンピュータ実行可能な命令群を実行するプロセッサを適用することを備える、方法。
【請求項２】
前記レガシー周波数帯域セグメントのデータ時間スロット内で、前記アドバンスト制御領域を受信すること、をさらに備える請求項１に記載の方法。
【請求項３】
前記レガシー周波数帯域セグメントの２つのデータ時間スロットにわたって、前記アドバンスト制御領域を受信するために、周波数ホップさせること、をさらに備える請求項２に記載の方法。
【請求項４】
前記隣接するアドバンスト周波数帯域セグメント内で、前記アドバンスト制御領域を受信すること、をさらに備える請求項１に記載の方法。
【請求項５】
物理ダウンリンク制御チャネル（ＰＤＣＣＨ）を受信することにより、前記単一キャリアを受信することをさらに備え、
前記レガシー制御領域は、前記レガシー周波数帯域セグメント内に時間スロットを備える、請求項１に記載の方法。
【請求項６】
物理アップリンク制御チャネル（ＰＵＣＣＨ）を受信することにより、前記単一キャリアを受信することをさらに備え、
前記レガシー制御領域は、データ領域から分離された周波数分割デュプレクス（ＦＤＤ）である、請求項１に記載の方法。
【請求項７】
前記レガシー周波数帯域セグメントの近傍でかつ隣接した、前記隣接するアドバンスト周波数帯域セグメントから分離された第２の隣接するアドバンスト周波数帯域セグメントを受信すること、をさらに備える請求項１に記載の方法。
【請求項８】
２０ＭＨｚのレガシー周波数帯域セグメントによって分離された、１０ＭＨｚの第１の隣接したアドバンスト周波数帯域セグメントと、１０ＭＨｚの第２の隣接したアドバンスト周波数帯域セグメントとを受信すること、をさらに備える請求項１に記載の方法。
【請求項９】
システム情報ブロードキャストで、前記アドバンスト制御領域に関するブロードキャストされた情報を受信すること、をさらに備える請求項１に記載の方法。
【請求項１０】
専用シグナリングによってブロードキャストされたシステム情報を、受信すること、をさらに備える請求項９に記載の方法。
【請求項１１】
レガシー周波数帯域と隣接するアドバンスト周波数帯域セグメントとの間のガード帯域の定義を受信すること、をさらに備える請求項１に記載の方法。
【請求項１２】
前記単一キャリアを介して前記レガシー制御領域によって送信されたシステム情報および同期に対する拡張として、アドバンスト制御領域を受信すること、をさらに備える請求項１に記載の方法。
【請求項１３】
無線通信システムにおいて帯域幅セグメント化を実行するための端末におけるコンピュータ実行可能な命令群を格納した少なくとも１つのコンピュータ読取可能記憶媒体であって、前記コンピュータ実行可能な命令群は、少なくとも１つのプロセッサによって実行された場合、
コンピュータに対して、レガシー周波数帯域セグメントを備えるダウンリンクを、単一キャリアで受信させるための命令群の第１のセットと、ここで、前記レガシー周波数帯域セグメントは、レガシー制御領域とレガシー・データ領域とを含む、
前記コンピュータに対して、前記単一キャリアによって伝送されたダウンリンクで、アドバンスト・データ領域を備える隣接するアドバンスト周波数帯域セグメントを受信させるための命令群の第２のセットと、
前記コンピュータに対して、前記単一キャリアによって伝送されたダウンリンクで前記レガシー制御領域を除外したアドバンスト制御領域を受信させるための命令群の第３のセットと、
前記コンピュータに対して、前記隣接するアドバンスト周波数帯域セグメントの位置および帯域幅に関する情報を、専用シグナリングから、または、システム情報ブロック（ＳＩＢ）から読み取らせるための命令群の第４のセットと
を備える構成要素を実現する、コンピュータ読取可能記憶媒体。
【請求項１４】
無線通信システムにおいて帯域幅セグメント化を実行するための装置であって、
少なくとも１つのプロセッサと、
少なくとも１つのコンピュータ読取可能記憶媒体とを備え、
前記少なくとも１つのコンピュータ読取可能記憶媒体は、前記少なくとも１つのプロセッサによって実行された場合、
レガシー周波数帯域セグメントを備えるダウンリンクを、単一キャリアで受信する手段と、ここで、前記レガシー周波数帯域セグメントは、レガシー制御領域とレガシー・データ領域とを含む、
アドバンスト・データ領域を備える隣接するアドバンスト周波数帯域セグメントを、前記単一キャリアによって伝送されたダウンリンクで受信する手段と、
前記レガシー制御領域を除外したアドバンスト制御領域を、前記単一キャリアによって伝送されたダウンリンクで受信する手段と、ここで、前記装置は、前記隣接するアドバンスト周波数帯域セグメントの位置および帯域幅に関する情報を、専用シグナリングから、または、システム情報ブロック（ＳＩＢ）から読み取る、
を備える、構成要素を実現するコンピュータ実行可能な命令群を格納する、装置。
【請求項１５】
無線通信システムにおいて帯域幅セグメント化を実行する装置であって、
レガシー周波数帯域セグメントを備えるダウンリンクを単一キャリアで受信し、
アドバンスト・データ領域を備える隣接するアドバンスト周波数帯域セグメントを、前記単一キャリアによって伝送されたダウンリンクで受信し、ここで、前記レガシー周波数帯域セグメントは、レガシー制御領域とレガシー・データ領域とを含む、
前記レガシー制御領域を除外したアドバンスト制御領域を、前記単一キャリアによって伝送されたダウンリンクで受信する、ここで、前記装置は、前記隣接するアドバンスト周波数帯域セグメントの位置および帯域幅に関する情報を、専用シグナリングから、または、システム情報ブロック（ＳＩＢ）から読み取る、
ことによって前記ダウンリンクを受信する受信機と、
前記レガシー制御領域を処理するコンピューティング・プラットフォームと、
アップリンクで送信する送信機と
を備える装置。
【請求項１６】
前記プロセッサはさらに、前記レガシー周波数帯域セグメントのデータ時間スロット内で、前記アドバンスト制御領域を受信する、請求項１５に記載の装置。
【請求項１７】
前記プロセッサはさらに、前記レガシー周波数帯域セグメントの２つのデータ時間スロットにわたって、前記アドバンスト制御領域を受信するために、周波数ホップさせる、請求項１６に記載の装置。
【請求項１８】
前記プロセッサはさらに、前記隣接するアドバンスト周波数帯域セグメント内で、前記アドバンスト制御領域を受信する、請求項１５に記載の装置。
【請求項１９】
前記プロセッサはさらに、物理ダウンリンク制御チャネル（ＰＤＣＣＨ）を受信することにより、前記単一キャリアを受信し、
前記レガシー制御領域は、前記レガシー周波数帯域セグメント内に時間スロットを備える、請求項１５に記載の装置。
【請求項２０】
前記プロセッサはさらに、物理アップリンク制御チャネル（ＰＵＣＣＨ）を受信することにより、前記単一キャリアを受信し、
前記レガシー制御領域は、データ領域から分離された周波数分割デュプレクス（ＦＤＤ）である、請求項１５に記載の装置。
【請求項２１】
前記プロセッサはさらに、前記レガシー周波数帯域セグメントの近傍でかつ隣接した、前記隣接するアドバンスト周波数帯域セグメントから分離された第２の隣接するアドバンスト周波数帯域セグメントを受信する、請求項１５に記載の装置。
【請求項２２】
前記プロセッサはさらに、２０ＭＨｚのレガシー周波数帯域セグメントによって分離された、１０ＭＨｚの第１のアドバンスト周波数帯域セグメントと、１０ＭＨｚの第２のアドバンスト周波数帯域セグメントとを受信する、請求項１５に記載の装置。
【請求項２３】
前記プロセッサはさらに、システム情報ブロードキャストで、前記アドバンスト制御領域に関するブロードキャストされた情報を受信する、請求項１５に記載の装置。
【請求項２４】
前記プロセッサはさらに、専用シグナリングによってブロードキャストされたシステム情報を、受信する、請求項２３に記載の装置。
【請求項２５】
前記プロセッサはさらに、レガシー周波数帯域と隣接するアドバンスト周波数帯域セグメントとの間のガード帯域の定義を受信する、請求項１５に記載の装置。
【請求項２６】
前記プロセッサはさらに、前記単一キャリアを介して前記レガシー制御領域によって送信されたシステム情報および同期に対する拡張として、アドバンスト制御領域を受信する、請求項１５に記載の装置。
【請求項２７】
無線通信システムにおいて帯域幅セグメント化を実行するための方法であって、基地局において、
レガシー周波数帯域セグメントを備えるダウンリンクを単一キャリアで送信し、ここで、前記レガシー周波数帯域セグメントは、レガシー制御領域とレガシー・データ領域とを含む、
アドバンスト・データ領域を備える隣接するアドバンスト周波数帯域セグメントを、前記単一キャリアによって伝送されるダウンリンクで送信し、
前記レガシー制御領域を除外したアドバンスト制御領域を、前記単一キャリアによって伝送されたダウンリンクで送信し、
専用シグナリングまたはシステム情報ブロック（ＳＩＢ）を使用して、前記隣接するアドバンスト周波数帯域セグメントの位置および帯域幅に関する情報を提供する、
動作を実現するために、コンピュータ読取可能記憶媒体に格納されたコンピュータ実行可能な命令群を実行するプロセッサを適用することを備える方法。
【請求項２８】
第１のサービス提供されたレガシー端末の母集団と、第２のサービス提供されたアドバンスト端末の母集団とを決定することと、
前記第１のサービス提供されたレガシー端末の母集団が、前記第２のサービス提供されたアドバンスト端末の母集団よりも小さいことに応答して、前記レガシー周波数帯域セグメントの定義を、２０ＭＨｚ未満を備えるものとして、メイン情報ブロック（ＭＩＢ）で送信することと
をさらに備える請求項２７に記載の方法。
【請求項２９】
前記レガシー周波数帯域セグメントのデータ時間スロット内で、前記アドバンスト制御領域を送信すること、をさらに備える請求項２７に記載の方法。
【請求項３０】
前記レガシー周波数帯域セグメントの２つのデータ時間スロットにわたって、前記アドバンスト制御領域を周波数ホップさせること、をさらに備える請求項２９に記載の方法。
【請求項３１】
前記隣接するアドバンスト周波数帯域セグメント内で、前記アドバンスト制御領域を送信すること、をさらに備える請求項２７に記載の方法。
【請求項３２】
物理ダウンリンク制御チャネル（ＰＤＣＣＨ）を送信することにより、前記単一キャリアを送信することをさらに備え、
前記レガシー制御領域は、前記レガシー周波数帯域セグメント内に時間スロットを備える、請求項２７に記載の方法。
【請求項３３】
物理アップリンク制御チャネル（ＰＵＣＣＨ）を送信することにより、前記単一キャリアを送信することをさらに備え、
前記レガシー制御領域は、データ領域から分離された周波数分割デュプレクス（ＦＤＤ）である、請求項２７に記載の方法。
【請求項３４】
前記レガシー周波数帯域セグメントの近傍でかつ隣接した、前記隣接するアドバンスト周波数帯域セグメントから分離された第２の隣接するアドバンスト周波数帯域セグメントを送信すること、をさらに備える請求項２７に記載の方法。
【請求項３５】
２０ＭＨｚのレガシー周波数帯域セグメントによって分離された、１０ＭＨｚの第１の隣接したアドバンスト周波数帯域セグメントと、１０ＭＨｚの第２の隣接したアドバンスト周波数帯域セグメントとを送信すること、をさらに備える請求項２７に記載の方法。
【請求項３６】
システム情報ブロードキャストで、前記アドバンスト制御領域に関する情報をブロードキャストすること、をさらに備える請求項２７に記載の方法。
【請求項３７】
専用シグナリングによってブロードキャストされたシステム情報を、アドバンスト端末へ伝送すること、をさらに備える請求項３６に記載の方法。
【請求項３８】
前記レガシー周波数帯域セグメントと前記隣接するアドバンスト周波数帯域セグメントとの間のガード帯域を定義すること、をさらに備える請求項２７に記載の方法。
【請求項３９】
前記単一キャリアを介してレガシー制御領域によって送信されたシステム情報および同期に対する拡張として、前記アドバンスト制御領域を送信すること、をさらに備える請求項２７に記載の方法。
【請求項４０】
前記アドバンスト制御領域をデータのために送信すること、をさらに備える請求項２７に記載の方法。
【請求項４１】
前記アドバンスト制御領域を制御のために送信すること、をさらに備える請求項２７に記載の方法。
【請求項４２】
前記アドバンスト制御領域をデータおよび制御のために送信すること、をさらに備える請求項４１に記載の方法。
【請求項４３】
サービス提供されたレガシー端末の母集団のデータ要件を判定することと、
前記サービス提供されたレガシー端末の母集団が、より小さな割当で十分にサービス提供されるデータ・レートを有することに応答して、前記レガシー周波数帯域セグメントの定義を、２０ＭＨｚ未満を備えるものとして、メイン情報ブロック（ＭＩＢ）で送信することと
をさらに備える請求項２７に記載の方法。
【請求項４４】
無線通信システムにおいて帯域幅セグメント化を実行するためのコンピュータ実行可能な命令群を格納した少なくとも１つのコンピータ読取可能記憶媒体であって、前記コンピュータ実行可能な命令群は、少なくとも１つのプロセッサによって実行された場合、
コンピュータに対して、レガシー周波数帯域セグメントを備えるダウンリンクを、単一キャリアで送信させるための命令群の第１のセットと、ここで、前記レガシー周波数帯域セグメントは、レガシー制御領域とレガシー・データ領域とを含む、
前記コンピュータに対して、前記単一キャリアによって伝送されるダウンリンクで、アドバンスト・データ領域を備える隣接するアドバンスト周波数帯域セグメントを送信させるための命令群の第２のセットと、
前記コンピュータに対して、前記単一キャリアによって伝送されたダウンリンクで前記レガシー制御領域を除外したアドバンスト制御領域を送信させるための命令群の第３のセットと、
前記コンピュータに対して、専用シグナリングまたはシステム情報ブロック（ＳＩＢ）を使用して、前記隣接するアドバンスト周波数帯域セグメントの位置および帯域幅に関する情報を提供させるための命令群の第４のセットと
を備える構成要素を実現する、コンピュータ読取可能記憶媒体。
【請求項４５】
無線通信システムにおいて帯域幅セグメント化を実行するための装置であって、
少なくとも１つのプロセッサと、
少なくとも１つのコンピュータ読取可能記憶媒体とを備え、
前記少なくとも１つのコンピュータ読取可能記憶媒体は、前記少なくとも１つのプロセッサによって実行された場合、
レガシー周波数帯域セグメントを備えるダウンリンクを、単一キャリアで送信する手段と、ここで、前記レガシー周波数帯域セグメントは、レガシー制御領域とレガシー・データ領域とを含む、
アドバンスト・データ領域を備える隣接するアドバンスト周波数帯域セグメントを、前記単一キャリアによって伝送されるダウンリンクで送信する手段と、
前記レガシー制御領域を除外したアドバンスト制御領域を、前記単一キャリアによって伝送されたダウンリンクで送信する手段と、
専用シグナリングまたはシステム情報ブロック（ＳＩＢ）を使用して、前記隣接するアドバンスト周波数帯域セグメントの位置および帯域幅に関する情報を提供する手段と
を備える構成要素を実現するコンピュータ実行可能な命令群を格納する、装置。
【請求項４６】
無線通信システムにおいて帯域幅セグメント化を実行するための装置であって、
アップリンクとダウンリンクにリソースを割り当てるスケジューラと、
前記アップリンクを受信する受信機と、
レガシー周波数帯域セグメントを備えるダウンリンクを単一キャリアで送信し、ここで、前記レガシー周波数帯域セグメントは、レガシー制御領域とレガシー・データ領域とを含む、
アドバンスト・データ領域を備える隣接するアドバンスト周波数帯域セグメントを、前記単一キャリアによって伝送されるダウンリンクで送信し、
前記レガシー制御領域を除外したアドバンスト制御領域を、前記単一キャリアによって伝送されたダウンリンクで送信し、
専用シグナリングまたはシステム情報ブロック（ＳＩＢ）を使用して、前記隣接するアドバンスト周波数帯域セグメントの位置および帯域幅に関する情報を提供する、
ことによって前記ダウンリンクを送信する送信機と
を備える装置。
【請求項４７】
前記スケジューラはさらに、第１のサービス提供されたレガシー端末の母集団と、第２のサービス提供されたアドバンスト端末の母集団とを決定し、
前記送信機はさらに、前記第１のサービス提供されたレガシー端末の母集団が、前記第２のサービス提供されたアドバンスト端末の母集団よりも小さいことに応答して、前記レガシー周波数帯域セグメントの定義を、２０ＭＨｚ未満を備えるものとして、メイン情報ブロック（ＭＩＢ）で送信する、請求項４６に記載の装置。
【請求項４８】
前記送信機はさらに、前記レガシー周波数帯域セグメントのデータ時間スロット内で、前記アドバンスト制御領域を送信する、請求項４６に記載の装置。
【請求項４９】
前記送信機はさらに、前記レガシー周波数帯域セグメントの２つのデータ時間スロットにわたって、前記アドバンスト制御領域を周波数ホップさせる、請求項４８に記載の装置。
【請求項５０】
前記送信機はさらに、前記隣接するアドバンスト周波数帯域セグメント内で、前記アドバンスト制御領域を送信する、請求項４６に記載の装置。
【請求項５１】
前記送信機はさらに、物理ダウンリンク制御チャネル（ＰＤＣＣＨ）を送信することにより、前記単一キャリアを送信し、
前記レガシー制御領域は、前記レガシー周波数帯域セグメント内に時間スロットを備える、請求項４６に記載の装置。
【請求項５２】
前記送信機はさらに、物理アップリンク制御チャネル（ＰＵＣＣＨ）を送信することにより、前記単一キャリアを送信し、
前記レガシー制御領域は、データ領域から分離された周波数分割デュプレクス（ＦＤＤ）である、請求項４６に記載の装置。
【請求項５３】
前記送信機はさらに、前記レガシー周波数帯域セグメントの近傍でかつ隣接した、前記隣接するアドバンスト周波数帯域セグメントから分離された第２の隣接するアドバンスト周波数帯域セグメントを送信する、請求項４６に記載の装置。
【請求項５４】
前記送信機はさらに、２０ＭＨｚのレガシー周波数帯域セグメントによって分離された、１０ＭＨｚの第１の隣接したアドバンスト周波数帯域セグメントと、１０ＭＨｚの第２の隣接したアドバンスト周波数帯域セグメントとを送信する、請求項４６に記載の装置。
【請求項５５】
前記送信機はさらに、システム情報ブロードキャストで、前記アドバンスト制御領域に関する情報をブロードキャストする、請求項４６に記載の装置。
【請求項５６】
前記送信機はさらに、専用シグナリングによってブロードキャストされたシステム情報を、アドバンスト端末へ伝送する、請求項５５に記載の装置。
【請求項５７】
前記送信機はさらに、前記レガシー周波数帯域セグメントと前記隣接するアドバンスト周波数帯域セグメントとの間のガード帯域を定義する、請求項４６に記載の装置。
【請求項５８】
前記送信機はさらに、前記単一キャリアを介して前記レガシー制御領域によって送信されたシステム情報および同期に対する拡張として、前記アドバンスト制御領域を送信する、請求項４６に記載の装置。
【請求項５９】
前記送信機はさらに、前記アドバンスト制御領域をデータのために送信する、請求項４６に記載の装置。
【請求項６０】
前記送信機はさらに、前記アドバンスト制御領域を制御のために送信する、請求項４６に記載の装置。
【請求項６１】
前記送信機はさらに、前記アドバンスト制御領域をデータおよび制御のために送信する、請求項６０に記載の装置。
【請求項６２】
前記スケジューラはさらに、サービス提供されたレガシー端末の母集団のデータ要件を判定し、
前記送信機はさらに、前記サービス提供されたレガシー端末の母集団が、より小さな割当で十分にサービス提供されるデータ・レートを有することに応答して、前記レガシー周波数帯域セグメントの定義を、２０ＭＨｚ未満を備えるものとして、メイン情報ブロック（ＭＩＢ）で送信する、請求項４６に記載の装置。
【発明の詳細な説明】
【優先権主張】
【０００１】
本願は、２００８年４月１日に出願され本願の譲受人に譲渡され「ロング・ターム・イボリューション・アドバンスト・マルチ・セグメント制御のための複数キャリア設計」（MULTIPLE-CARRIER DESIGN FOR LONG TERM EVOLUTION ADVANCED MULTIPLE SEGMENT CONTROL）と題され、本明細書において参照によって明確に組み込まれた米国仮出願６０／０４１，２９３の優先権を主張する。
【技術分野】
【０００２】
本明細書に記載された典型的で制限しない態様は、一般に、無線通信システム、方法、コンピュータ・プログラム製品およびデバイスに関し、さらに詳しくは、いくつかの端末によって見られ、レガシー端末によって部分的にのみ見られる隣接周波数帯域を用いて高度にスケジュールされた無線通信システムにおける１キャリア動作のための技術に関する。
【背景技術】
【０００３】
第３世代パートナシップ計画（３ＧＰＰ）ロング・ターム・イボリューション（ＬＴＥ）は、セルラ技術における大きな前進をもたらし、グローバル移動体通信システム（ＧＳＭ（登録商標））およびユニバーサル・モバイル・テレコミュニケーション・システム（ＵＭＴＳ）の自然発展形としてセルラ３Ｇサービスにおいて先行する次のステップである。ＬＴＥは、最大で毎秒５０メガビット（Ｍｂｐｓ）のアップリンク速度と、最大で１００Ｍｂｐｓのダウンリンク速度とを提供し、セルラ・ネットワークに対して多くの技術的な利点をもたらす。ＬＴＥは、次の１０年間に向けての、高速データおよびマルチメディア伝送のみならず、高キャパシティの音声サポートに関するキャリア・ニーズを満足するように設計されている。帯域幅は、１．２５ＭＨｚから２０ＭＨｚまでスケール可能である。これは、異なる帯域幅割当を有する異なるネットワーク・オペレータのニーズに適合し、また、オペレータが、スペクトルに基づいて異なるサービスを提供することを可能にする。ＬＴＥはまた、３Ｇネットワークにおけるスペクトル効率を高め、もって、キャリアが、与えられた帯域幅で、より多くのデータ・サービスおよび音声サービスを提供することを可能にすることが期待されている。ＬＴＥは、高速データ・サービス、マルチメディア・ユニキャスト・サービス、およびマルチメディア・ブロードキャスト・サービスを含む。
【０００４】
ＬＴＥ物理レイヤ（ＰＨＹ）は、エンハンスト基地局（ｅノードＢ）とモバイル・ユーザ機器（ＵＥ）との間でデータおよび制御情報の両方を伝送する非常に効率的な手段である。ＬＴＥ  ＰＨＹは、セルラ・アプリケーションに新しい、いくつかの先進技術を使用する。これらは、直交周波数分割多重化（ＯＦＤＭ）および複数入力複数出力（ＭＩＭＯ）データ送信を含んでいる。さらに、ＬＴＥ  ＰＨＹは、ダウンリンク（ＤＬ）において直交周波数分割多元接続（ＯＦＤＭＡ）を用い、アップリンク（ＵＬ）においてシングル・キャリア周波数分割多元接続（ＳＣ−ＦＤＭＡ）を用いる。ＯＦＤＭＡによって、データが、指定された数のシンボル期間にわたって、サブキャリア毎ベースで、複数のユーザとの間で送られるようになる。
【０００５】
昨今、ＬＴＥアドバンストは、４Ｇサービスを提供するための発展中のモバイル通信規格である。３Ｇ技術として定義されているＬＴＥは、例えば、最大で１Ｇｂｉｔ／ｓのピーク・データ・レートを提供するようなインターナショナル・テレコミュニケーション・ユニオンによって定義され、ＩＭＴアドバンストとも称される４Ｇのための要件を満足しない。ＬＴＥアドバンストはさらに、ピーク・データ・レートの他に、セル端部における向上されたパフォーマンスと電力状態との間のより高速な切換を目的としている。
【発明の概要】
【０００６】
以下は、開示された態様のうちのいくつかの態様の基本的な理解を与えるために、より単純化された概要を提供する。この概要は、広範囲な概観ではなく、重要または決定的な要素を識別することでも、そのような態様の範囲を線引きすることも意図されていない。その目的は、記載された特徴のうちのいくつかの概念を、後に表されるより詳細な記載に対する前兆として、より簡単な形式で表すことである。
【０００７】
１つの態様では、以下の動作を実施するために、コンピュータ読取可能記憶媒体に格納されたコンピュータ実行可能な命令群を実行するプロセッサによって、無線通信システムにおいて帯域幅セグメント化を実行する方法が提供される。レガシー周波数帯域セグメントを備えるダウンリンクが、単一キャリアで受信される。隣接するアドバンスト周波数帯域が、単一キャリアによって伝送されたダウンリンクで受信される。レガシー制御領域が、レガシー周波数帯域セグメントで受信される。
【０００８】
別の態様では、コンピュータ・プログラム製品が、無線通信システムにおいて帯域幅セグメント化を実行するために提供される。少なくとも１つのコンピュータ読取可能記憶媒体は、少なくとも１つのプロセッサによって実行された場合、構成要素を実現するコンピュータ実行可能な命令群を格納する。命令群の第１のセットは、コンピュータに対して、レガシー周波数帯域セグメントを備えるダウンリンクを、単一キャリアで受信させる。命令群の第２のセットは、コンピュータに対して、単一キャリアによって伝送されたダウンリンクで、隣接するアドバンスト周波数帯域を受信させる。命令群の第３のセットは、コンピュータに対して、レガシー周波数帯域セグメントでレガシー制御領域を受信させる。
【０００９】
さらなる態様では、無線通信システムにおいて帯域幅セグメント化を実行するための装置が提供される。少なくとも１つのコンピュータ読取可能記憶媒体は、少なくとも１つのプロセッサによって実行された時、構成要素を実現するコンピュータ実行可能な命令群を格納する。レガシー周波数帯域セグメントを備えるダウンリンクを、単一キャリアで受信するための手段が提供される。隣接するアドバンスト周波数帯域を、単一キャリアによって伝送されたダウンリンクで受信するための手段が提供される。レガシー周波数帯域セグメントでレガシー制御領域を受信するための手段が提供される。
【００１０】
さらなる態様では、無線通信システムにおいて帯域幅セグメント化を実行するための装置が提供される。レガシー周波数帯域セグメントを備えるダウンリンクを単一キャリアで受信し、隣接するアドバンスト周波数帯域を、単一キャリアによって伝送されたダウンリンクで受信し、レガシー制御領域を、レガシー周波数帯域セグメントで受信することによって、受信機はダウンリンクを受信する。コンピューティング・プラットフォームは、レガシー制御領域を処理する。送信機は、アップリンクで送信する。
【００１１】
さらに１つの態様では、以下の動作を実現するために、コンピュータ読取可能記憶媒体に格納されたコンピュータ実行可能な命令群を実行するプロセッサを適用することによって、無線通信システムにおいて帯域幅セグメント化を実行するための方法が提供される。レガシー周波数帯域セグメントを備えるダウンリンクが、単一キャリアで送信される。隣接するアドバンスト周波数帯域が、単一キャリアによって伝送されるダウンリンクで送信される。ダウンリンクのデータ領域上に許可を割り当てる、ダウンリンク上の制御領域が送信される。
【００１２】
さらに別の態様では、コンピュータ・プログラム製品が、無線通信システムにおいて帯域幅セグメント化を実行するために提供される。少なくとも１つのコンピュータ読取可能記憶媒体は、少なくとも１つのプロセッサによって実行された時、構成要素を実現するコンピュータ実行可能な命令群を格納する。命令群の第１のセットは、コンピュータに対して、レガシー周波数帯域セグメントを備えるダウンリンクを、単一キャリアで送信させる。命令群の第２のセットは、コンピュータに対して、単一キャリアによって伝送されるダウンリンクで、隣接するアドバンスト周波数帯域を送信させる。命令群の第３のセットは、コンピュータに対して、ダウンリンクのデータ領域上に許可を割り当てる、ダウンリンク上の制御領域を送信させる。
【００１３】
さらなる態様では、無線通信システムにおいて帯域幅セグメント化を実行するための装置が提供される。少なくとも１つのコンピュータ読取可能記憶媒体は、少なくとも１つのプロセッサによって実行された時、構成要素を実現するコンピュータ実行可能な命令群を格納する。レガシー周波数帯域セグメントを備えるダウンリンクを、単一キャリアで送信する手段が提供される。隣接するアドバンスト周波数帯域を、単一キャリアによって伝送されるダウンリンクで送信する手段が提供される。ダウンリンクのデータ領域上に許可を割り当てる、ダウンリンク上の制御領域を送信する手段が提供される。
【００１４】
さらなる態様では、無線通信システムにおいて帯域幅セグメント化を実行するための装置が提供される。スケジューラは、アップリンクおよびダウンリンクにリソースを割り当てる。受信機は、アップリンクを受信する。送信機は、レガシー周波数帯域セグメントを備えるダウンリンクを、単一キャリアで送信し、隣接するアドバンスト周波数帯域を、単一キャリアによって伝送されるダウンリンクで送信し、ダウンリンクのデータ領域上に許可を割り当てる、ダウンリンク上の制御領域を送信する。
【００１５】
前述した目的および関連する目的を達成するために、１または複数の態様は、後に十分に説明され、特許請求の範囲で特に指摘される特徴を備える。以下の記述および関連図面は、ある例示的な態様をより詳細に説明し、これら態様の原理が適用されるさまざまな方式のうちの少数を示す。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、スケジュールされた無線通信システムにおいてレガシー端末とアドバンスト端末とのために、１つのキャリア動作で帯域幅セグメント化の制御を実行する無線通信ネットワークのブロック図を例示する。
【図２】図２は、セグメント化された帯域のブロック図を例示する。
【図３】図３は、周波数ホッピングを備えたアドバンスト制御領域がレガシー・データ領域内に配置されるダウンリンク制御のブロック図を例示する。
【図４】図４は、レガシー周波数帯域に隣接したアドバンスト周波数帯域内にアドバンスト制御領域が配置されたダウンリンク制御のブロック図を例示する。
【図５】図５は、レガシー周波数帯域に隣接したアドバンスト周波数帯域内にアドバンスト制御領域が配置されたアップリンク制御のブロック図を例示する。
【図６】図６は、周波数ホッピングを備えたレガシー周波数帯域に隣接したアドバンスト周波数帯域内にアドバンスト制御領域が配置されたダウンリンク制御のブロック図を例示する。
【図７】図７は、スケジュールされた無線通信システムにおけるレガシー端末とアドバンスト端末とのために、１つのキャリア動作で帯域幅セグメント化の制御を実行する動作のシーケンスまたは方法のフロー図を例示する。
【図８】図８は、リソース分配アップデートのために近隣ユーティリティ関数を実行する１つの態様にしたがう多元接続無線通信システムの図解を例示する。
【図９】図９は、リソース分配アップデートのために近隣ユーティリティ関数を実行する通信システムの概要ブロック図を例示する。
【図１０】図１０は、典型的な無線通信システムを例示する。
【図１１】図１１は、帯域幅セグメントを受信するための電子構成要素の論理グループを有するユーザ機器のようなシステムを例示する。
【図１２】図１２は、帯域幅セグメントを送信するための電子構成要素の論理グループを有するベース・ノードのようなシステムを例示する。
【図１３】図１３は、帯域幅セグメントを受信する手段を有するユーザ機器のような装置を例示する。
【図１４】図１４は、帯域幅セグメントを送信するための手段を有するベース・ノードのような装置を例示する。
【発明を実施するための形態】
【００１７】
１つのキャリアを使用するマルチ・セグメント動作は、有利なことに、第３世代パートナシップ計画（３ＧＰＰ）ロング・ターム・イボリューション（ＬＴＥ）アドバンストを強化する。より広帯域（例えば、２０−１００ＭＨｚ）を利用するアドバンスト・デバイスのみならず、単一キャリアで最大２０ＭＨｚの帯域幅を利用するレガシーＬＴＥデバイスへ、リソースを割り当てるサポートが提供される。有利なことに、マルチ・セグメント３ＧＰＰロング・ターム・イボリューション・アドバンスト（ＬＴＥ−Ａ）システムのダウンリンク（ＤＬ）およびアップリンク（ＵＬ）制御およびデータ構造について、下位互換性が維持される。
【００１８】
さまざまな態様が、図面を参照して記載される。以下の記載では、説明の目的のために、１または複数の態様の完全な理解を提供するために、多くの具体的な詳細が述べられる。しかしながら、これらさまざまな態様は、これら特定の詳細無しで実現されうることが明白である。他の事例では、これら態様の記載を容易にするために、周知の構成およびデバイスが、ブロック図形式で示される。
【００１９】
図１では、スケジュールされた通信システム１００は、例えばイボルブド・ベース・ノード（ｅＮＢ）１０４のようなベース・ノードによるアップリンク（ＵＬ）およびダウンリンク（ＤＬ）の制御１０２を、レガシー周波数帯域１０８のみを受信するレガシー端末またはユーザ機器（ＵＥ）１０６へ、または、アドバンスト周波数帯域１１４およびレガシー周波数帯域１０８を含む全ての帯域１１２を受信するアドバンスト端末またはＵＥ１１０へ提供する。メイン情報ブロック（ＭＩＢ）１１６では、ｅＮＢ  １０４が、レガシー周波数帯域１０８を定義する。システム情報ブロック（ＳＩＢ）１１８は、アドバンスト端末またはＵＥ１１０に、その存在、および、アドバンスト制御領域１２０がどこにあり、どれくらい大きいのか、受信可能か、について通知する。これは、帯域間でガード帯域１２１を定義することを含む。セグメントの存在、場所、およびサイズは、アドバンストＵＥ特有でありうる。この場合、セグメント（単数または複数）に関する情報は、専用のシグナリングによって、アドバンストＵＥへ伝送される。ｅＮＢ１０４は、レガシー端末またはＵＥ１０６を、アドバンスト制御領域１２０で受信または送信するようにスケジュールしない。さらに、これらアドバンスト制御領域は、レガシー周波数帯域１０８またはアドバンスト周波数帯域１１４に存在しうる。レガシー端末またはＵＥ１０６は、レガシー制御領域１２２がレガシー周波数帯域１０８内の第１の時間スロット内にあることが分かるようにプロビジョンされる。
【００２０】
有利なことに、レガシー端末が、ＶｏＩＰトラフィックの場合のように、低い帯域幅（データ・レート）ニーズしか持たない場合、レガシー端末の電力消費量を低減することによって、アドバンスト端末またはＵＥ１１０のために、または、バッテリ節約の目的で、より効率的な割当がなされるべきであると判定された場合、ｅＮＢ１０４は、１２４に図示するように、レガシー帯域幅割当を削減しうる。このように、帯域幅は、適応的または準静的な方式で、十分であるように割り当てられる。
【００２１】
スケジューラ１３０は、例えば、空間−時間符号化のために、または、適応性電力制御を用いたリソースの再使用のために、複数のｅＮＢ１０４にわたるリソース割当を実行しうる。
【００２２】
図２では、単一キャリアのマルチ・セグメント帯域幅“Ｂ”１５０が、高帯域幅“Ｂ１”１５４と低帯域幅“Ｂ２”１５６とを備えるアドバンスト周波数帯域幅に隣接したレガシー周波数帯域幅“Ｂ０”１５２を備える。
【００２３】
図３では、ＰＤＣＣＨを実行しうる単一キャリアのマルチ・セグメント帯域幅“Ｂ”１７０が、高帯域幅“Ｂ１”１７４と低帯域幅“Ｂ２”１７６とを備えるアドバンスト周波数帯域幅に隣接したレガシー周波数帯域幅“Ｂ０”１７２を備える。レガシー制御領域１７８は、フル・レガシー周波数帯“Ｂ０”１７２にわたる第１の時間スロット内に存在する。この例示的なアドバンスト制御領域は、レガシー制御領域１７８に続く時間スロット内の３つのＦＤＤセグメント１８０ａ−１８０ｃとして図示されている。これら３つのＦＤＤセグメントは、その後の時間スロットにおいて、ＦＤＤセグメント１８２ａ−１８２ｃにそれぞれ周波数ホップする。
【００２４】
図４では、ＰＤＣＣＨを実行しうる単一キャリアのマルチ・セグメント帯域幅“Ｂ”１９０が、高帯域幅“Ｂ１”１９４と低帯域幅“Ｂ２”１９６とを備えるアドバンスト周波数帯域幅に隣接したレガシー周波数帯域幅“Ｂ０”１９２を備える。レガシー制御領域１９８は、フル・レガシー周波数帯“Ｂ０”１９２にわたる第１の時間スロット内に存在する。この例示的なアドバンスト制御領域は、高アドバンスト周波数帯域幅１９４と低アドバンスト周波数帯域幅１９６との両方がそれぞれ配置された時間及び周波数で二重化されたセグメント２００として図示されている。
【００２５】
図５では、ＰＵＣＣＨを実行しうる単一キャリアのマルチ・セグメント帯域幅“Ｂ”２１０が、高帯域幅“Ｂ１”２１４と低帯域幅“Ｂ２”２１６とを備えるアドバンスト周波数帯域幅に隣接したレガシー周波数帯域幅“Ｂ０”２１２を備える。レガシーの高制御領域２１８ａおよび低制御領域２１８ｂは、レガシー周波数帯域“Ｂ０”２１２内のレガシー・データ領域２１９からＦＤＤ分離される。この例示的なアドバンスト制御領域は、高帯域幅２１４の高周波数で二重化されたセグメント２２０ａとして、低帯域幅２１６の低周波数で二重化されたセグメント２２０ｂとして図示される。
【００２６】
図６では、ＰＵＣＣＨを実行しうる単一キャリアのマルチ・セグメント帯域幅“Ｂ”２３０が、高帯域幅“Ｂ１”２３４と低帯域幅“Ｂ２”２３６とを備えるアドバンスト周波数帯域幅に隣接したレガシー周波数帯域幅“Ｂ０”２３２を備える。レガシーの高制御領域２３８ａおよび低制御領域２３８ｂは、レガシー周波数帯域“Ｂ０”２３２内のレガシー・データ領域２３９からＦＤＤ分離される。この例示的なアドバンスト制御領域は、２４２ａおよび２４２ｂに図示する第２の時間スロットにおいてそれぞれ周波数ホップする高帯域幅２３４における第１の時間スロット内の高周波数で二重化されたセグメント２４０ａ、２４０ｂとして図示される。この例示的なアドバンスト制御領域は、２４６ａおよび２４６ｂで図示する第２の時間スロットにおいてそれぞれ周波数ホップする低帯域幅２３６における第１の時間スロット内の低周波数で二重化されたセグメント２４４ａ、２４４ｂとしてさらに図示される。
【００２７】
ダウンリンクは、レガシー制御領域を含むかまたは含まず、少なくとも１つのレガシー・データ領域を含むかまたは含まない単一キャリアにおいて、レガシー周波数帯域を備えうることが本開示の利益とともに認識されるべきである。この省略は、一時的でありうる。同様に、ダウンリンクは、アドバンスト・データ領域を備える単一キャリアによって伝送されるダウンリンクにおいて、隣接したアドバンスト周波数帯域を含むかまたは含まない。繰り返すが、この省略は、一時的でありうる。例えば、図示するように、ダウンリンク上のアドバンスト制御領域は、現在送信されていないレガシー制御領域を除外したか、または、別の領域リソースを使用しうる。例えば、１つのキャリア内に構成される複数の帯域幅セグメントがあるが、レガシーＰＤＣＣＨ制御領域とは異なる非レガシー（アドバンスト）制御領域が存在しない場合がありうる。非レガシー制御領域および帯域幅セグメントは、独立して、または、ともに定義および構成されうる。
【００２８】
図７では、無線通信システムにおいて、帯域幅セグメント化を実行する動作のシーケンスまたは方法３００が提供される。ブロック３０２では、レガシー制御領域と、レガシー周波数帯域のうちの少なくとも１つのレガシー・データ領域とが、単一キャリアで送信され、レガシー端末によって受信される。ブロック３０４では、隣接するアドバンスト周波数帯域が、レガシー周波数帯域の受信も行うアドバンスト端末によって受信された単一キャリアで送信される。ブロック３０６では、レガシー制御領域を除外したアドバンスト制御領域が、単一キャリアで送信される。典型的な態様では、アドバンスト制御領域が省略されうる。例えば、隣接するアドバンスト周波数帯域セグメントを利用することができないレガシー・デバイスの母集団がサービス提供されうる。
【００２９】
１つの態様では、方法３００はさらに、メイン情報ブロック（ＭＩＢ）で、レガシー周波数帯域の定義を、最大２０ＭＨｚを備えるものとして送信することを備える。
【００３０】
別の態様では、方法３００はさらに、サービス提供されたレガシー端末およびアドバンスト端末の母集団を決定することと、サービス提供されたレガシー端末の母集団のデータ要件が、サービス提供されたアドバンスト端末の母集団よりも小さいと判定することに応答して、レガシー周波数帯域の定義を、２０ＭＨｚ以下を備えるとして、メイン情報ブロック（ＭＩＢ）で送信することとを備える。
【００３１】
さらなる態様では、方法３００はさらに、レガシー周波数帯域のデータ時間スロット内で、アドバンスト制御領域を送信することを備える。
【００３２】
さらに別の態様では、方法３００はさらに、レガシー周波数帯域の２つのデータ時間スロットにわたって、アドバンスト制御領域を周波数ホップさせることを備える
さらなる態様では、方法３００はさらに、アドバンスト周波数帯域内で、アドバンスト制御領域を送信することを備える。
【００３３】
１つの態様では、方法３００はさらに、物理ダウンリンク制御チャネル（ＰＤＣＣＨ）を送信することにより、単一キャリアを送信することを備える。ここで、レガシー制御領域は、レガシー周波数帯域内に時間スロットを備える。
【００３４】
また別の態様では、方法３００はさらに、物理アップリンク制御チャネル（ＰＵＣＣＨ）を送信することにより、単一キャリアを送信することを備える。ここで、レガシー制御領域は、データ領域から分離された周波数分割デュプレクス（ＦＤＤ）である。
【００３５】
さらに追加の態様では、方法３００はさらに、第１のアドバンスト周波数帯域に隣接し、レガシー周波数帯域によって第１のアドバンスト周波数帯域から分離される第２の周波数帯域を備える。
【００３６】
また別の追加の態様では、方法３００はさらに、２０ＭＨｚのレガシー周波数帯域によって分離された、１０ＭＨｚの第１のアドバンスト周波数帯域と、１０ＭＨｚの第２のアドバンスト周波数帯域とを送信することを備える。前述の値および範囲は例示的であることが認識されるべきである。
【００３７】
さらに別の態様では、方法３００はさらに、システム情報ブロードキャストで、アドバンスト制御領域に関する情報をブロードキャストすることを備える。その後、ＵＥは、このブロードキャストされた情報を受信しうる。
【００３８】
無線通信システムは、例えば、音声、データ等のようなさまざまなタイプのコンテンツを提供するために広く開発されてきたことが認識されるべきである。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システム等を含む。
【００３９】
無線多元接続通信システムは、複数の無線アクセス端末のための通信を同時にサポートすることができる。前述したように、おのおのの端末は、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（“ＭＩＭＯ”）システム、あるいは、その他いくつかのタイプのシステムによって確立されうる。
【００４０】
図８に示すように、１つの態様にしたがった多元接続無線通信システムが例示される。アクセス・ポイント４００（ＡＰ）は、１つは４０４および４０６を含み、別の１つは４０８および４１０を含み、さらに別の１つは４１２および４１４を含む複数のアンテナ・グループを含む。図８では、おのおののアンテナ・グループについて２本のアンテナしか示されていない。しかしながら、おのおののアンテナ・グループについて、それより多くのまたはそれより少ないアンテナが利用されうる。アクセス端末（ＡＴ）４１６はアンテナ４１２およびアンテナ４１４と通信する。ここで、アンテナ４１２およびアンテナ４１４は、順方向リンク４２０によってアクセス端末４１６へ情報を送信し、逆方向リンク４１８によってアクセス端末４１６から情報を受信しうる。アクセス端末４２２は、アンテナ４０６、４０８と通信する。ここで、アンテナ４０６、４０８は、順方向リンク４２６でアクセス端末４２２へ情報を送信し、逆方向リンク４２４でアクセス端末４２２から情報を受信する。ＦＤＤシステムでは、通信リンク４１８、４２０、４２４、４２６は、通信のために、異なる周波数を使用しうる。例えば、順方向リンク４２０は、逆方向リンク４１８によって使用されるものとは異なる周波数を使用しうる。
【００４１】
通信するように設計された領域および／またはアンテナのおのおののグループは、しばしば、アクセス・ポイント４００のセクタと称される。態様では、アンテナ・グループはおのおの、アクセス・ポイント４００によってカバーされている領域のセクタ内のアクセス端末４１６、４２２と通信するように設計されている。
【００４２】
順方向リンク４２０、４２６による通信では、アクセス・ポイント４００の送信アンテナは、別のアクセス端末４１６、４２２の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、アクセス端末の全てへ単一のアンテナによって送信するアクセス・ポイントよりも、近隣のセル内のアクセス端末に対して少ない干渉しかもたらさない。
【００４３】
アクセス・ポイント４００は、端末と通信するために使用される固定局であり、アクセス・ポイント、ノードＢ、またはその他いくつかの用語でも称されうる。アクセス端末４１６、４２２はまた、ユーザ機器（ＵＥ）、無線通信デバイス、端末、あるいはその他のいくつかの用語で称されうる。
【００４４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えることができる。
【００４５】
ＭＩＭＯシステムは、時分割デュプレクス（“ＴＤＤ”）および周波数分割デュプレクス（“ＦＤＤ”）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００４６】
本明細書における教示は、少なくとも１つの他のノードと通信するためにさまざまな構成要素を適用するノード（例えば、デバイス）へ組み込まれうる。図９は、ノード間の通信を容易にするために適用されうるいくつかのサンプル構成要素を図示する。特に、図９は、ＭＩＭＯシステム５００の無線デバイス５１０（例えば、アクセス・ポイント）と無線デバイス５５０（例えば、アクセス端末）とを例示する。デバイス５１０では、多くのデータ・ストリームのトラフィック・データが、データ・ソース５１２から送信（“ＴＸ”）データ・プロセッサ５１４へ提供される。
【００４７】
いくつかの態様では、各データ・ストリームが、それぞれの送信アンテナを介して送信される。ＴＸデータ・プロセッサ５１４は、トラフィック・データ・ストリームをフォーマットし、このデータ・ストリームのために選択された特定の符号化スキームに基づいて符号化し、インタリーブして、符号化されたデータを提供する。
【００４８】
おのおののデータ・ストリームの符合化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ５３０によって実行される命令群によって決定される。データ・メモリ５３２は、デバイス５１０のプロセッサ５３０またはその他の構成要素によって使用されるプログラム・コード、データ、およびその他の情報を格納しうる。
【００４９】
すべてのデータ・ストリームの変調シンボルは、（例えば、ＯＦＤＭのために）変調シンボルをさらに処理するＴＸ  ＭＩＭＯプロセッサ５２０に提供される。その後、ＴＸ  ＭＩＭＯプロセッサ５２０は、おのおのが送信機（ＴＭＴＲ）および受信機（ＲＣＶＲ）を有するＮＴ個のトランシーバ（“ＸＣＶＲ”）５２２ａ乃至５２２ｔへＮＴ個の変調シンボル・ストリームを提供する。いくつかの態様では、ＴＸ  ＭＩＭＯプロセッサ５２０は、データ・ストリームのシンボルへ、および、このシンボルの送信がなされるアンテナへビームフォーミング重みを適用する。
【００５０】
各トランシーバ５２２ａ−５２２ｔは、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。トランシーバ５２２ａ乃至５２２ｔからのＮＴ個の変調信号は、その後、ＮＴ個のアンテナ５２４ａ乃至５２４ｔからそれぞれ送信される。
【００５１】
デバイス５５０では、送信された変調信号が、ＮＲ個のアンテナ５５２ａ乃至５５２ｒによって受信され、各アンテナ５５２ａ−５５２ｒから受信された信号が、それぞれのトランシーバ（ＸＣＶＲ）５５４ａ乃至５５４ｒへ提供される。各トランシーバ５５４ａ−５５４ｒは、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００５２】
受信（“ＲＸ”）データ・プロセッサ５６０は、その後、ＮＲ個のトランシーバ５５４ａ−５５４ｒからＮＲ個のシンボル・ストリームを受信し、これら受信したＮＲ個のシンボル・ストリームを、特定の受信機処理技術に基づいて処理することにより、ＮＴ個の「検出された」シンボル・ストリームが提供される。ＲＸデータ・プロセッサ５６０は、その後、検出されたおのおののシンボル・ストリームを復調し、デインタリーブし、復号して、そのデータ・ストリームのためのトラフィック・データを復元する。ＲＸデータ・プロセッサ５６０による処理は、デバイス５１０におけるＴＸデータ・プロセッサ５１４およびＴＸ  ＭＩＭＯプロセッサ５２０によって実行されるものに対して相補的である。
【００５３】
プロセッサ５７０は、上述したように、利用可能などの技術を利用するのかを定期的に決定する。プロセッサ５７０は、行列インデクス部およびランク値部を備えた逆方向リンク・メッセージを規定する。データ・メモリ５７２は、デバイス５５０のプロセッサ５７０またはその他の構成要素によって使用されるプログラム・コード、データ、およびその他の情報を格納しうる。
【００５４】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ５３８によって処理され、変調器５８０によって変調され、トランシーバ５５４ａ乃至５５４ｒによって調整され、デバイス５１０へ送り戻される。ＴＸデータ・プロセッサ５３８はまた、データ・ソース５３６から、多くのデータ・ストリームのトラフィック・データを受信する。
【００５５】
デバイス５１０では、デバイス５５０からの変調信号が、アンテナ５２４ａ−５２４ｔによって受信され、トランシーバ５２２ａ−５２２ｔによって調整され、復調器（ＤＥＭＯＤ）５４０によって復調され、ＲＸデータ・プロセッサ５４２によって処理されて、デバイス５５０によって送信された逆方向リンク・メッセージが抽出される。その後、プロセッサ５３０が、ビームフォーミング重みを決定するためにどの事前符号化行列を使用するのかを決定し、抽出されたメッセージを処理する。
【００５６】
図９はまた、本明細書で教示されたような干渉制御動作を実行する１または複数の構成要素を含みうる通信構成要素を例示する。例えば、他のデバイス（例えば、デバイス５５０）と信号を送信／受信するために、干渉（“ＩＮＴＥＲ”）制御構成要素５９０が、デバイス５１０のプロセッサ５３０および／またはその他の構成要素と連携しうる。同様に、干渉制御構成要素５９２は、プロセッサ５７０、および／または、デバイス５５０のその他の構成要素と連携し、（例えば、デバイス５１０のような）他のデバイスとの間で信号を送信／受信する。おのおののデバイス５１０、５５０について、記述された構成要素のうちの１または複数の機能が、単一の構成要素によって提供されうることが認識されるべきである。例えば、単一の処理構成要素が、干渉制御構成要素５９０およびプロセッサ５３０の機能を提供し、単一の処理構成要素が、干渉制御構成要素５９２およびプロセッサ５７０の機能を提供しうる。
【００５７】
図１０は、多くのユーザをサポートするように構成され、本明細書に記載された教示が実施される無線通信システム６００を例示する。このシステム６００は、例えばマクロ・セル６０２ａ−６０２ｇのような複数のセル６０２のための通信を提供する。ここで、各セルは、対応するアクセス・ノード６０４（例えば、アクセス・ノード６０４ａ−６０４ｇ）によってサービス提供される。図１０に示すように、アクセス端末６０６（例えば、アクセス端末６０６ａ−６０６ｌ）は、時間にわたって、システム内のさまざまな位置に分布しうる。アクセス端末６０６はおのおのの、例えば、アクセス端末６０６がアクティブであるか、および、ソフト・ハンドオフにあるかに依存して、所与の時間において、順方向リンク（“ＦＬ”）および／または逆方向リンク（“ＲＬ”）で、１または複数のアクセス・ノード６０４と通信しうる。無線通信システム６００は、大規模な地理的領域にわたってサービスを提供することができる。例えば、マクロ・セル６０２ａ−６０２ｇは、近隣の少数のブロックをカバーすることができる。
【００５８】
図１１を参照して、無線通信システムにおいて帯域幅セグメント化を実行するためのシステム１１００が図示される。例えば、システム１１００は、ユーザ機器（ＵＥ）内に少なくとも部分的に存在しうる。システム１１００は、コンピューティング・プラットフォーム、プロセッサ、ソフトウェア、またはこれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、レガシー周波数帯域セグメントを備えるダウンリンクを、単一キャリアで受信するための電子構成要素１１０４を含みうる。さらに、論理グループ１１０２は、隣接するアドバンスト周波数帯域セグメントを、単一キャリアによって伝送されるダウンリンクで受信するための電子構成要素１１０６を含みうる。さらに、論理グループ１１０２は、レガシー制御領域を、レガシー周波数帯域セグメントで受信するための電子構成要素１１０８を含みうる。それに加えて、システム１１００は、電子構成要素１１０４−１１０８に関連付けられた機能を実行するための命令群を保持するメモリ１１２０を含みうる。メモリ１１２０の外側にあると示されているが、電子構成要素１１０４−１１０８のうちの１または複数は、メモリ１１２０内に存在しうることが理解されるべきである。
【００５９】
図１２を参照して、無線通信システムおいて帯域幅セグメント化を実行するシステム１２００が図示される。例えば、システム１２００は、ラジオ・アクセスを提供するためのネットワーク・エンティティ（例えば、ｅＮＢ）内に少なくとも部分的に存在しうる。システム１２００は、コンピューティング・プラットフォーム、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、レガシー周波数帯域セグメントを備えるダウンリンクを、単一キャリアで送信するための電子構成要素１２０４を含みうる。さらに、論理グループ１１０２は、隣接するアドバンスト周波数帯域セグメントを、単一キャリアによって伝送されるダウンリンクで送信するための電子構成要素１２０６を含みうる。さらに、論理グループ１１０２は、レガシー制御領域を、レガシー周波数帯域セグメントで送信するための電子構成要素１２０８を含みうる。それに加えて、システム１２００は、電子構成要素１２０４−１２０８に関連付けられた機能を実行するための命令群を保持するメモリ１２２０を含みうる。メモリ１２２０の外側にあると示されているが、電子構成要素１２０４−１２０８のうちの１または複数は、メモリ１２２０内に存在しうることが理解されるべきである。
【００６０】
図１３では、無線通信システムにおいて帯域幅セグメント化を実行するための装置１３０２が図示される。レガシー周波数帯域セグメントを備えるダウンリンクを、単一キャリアで受信するする手段１３０４が提供される。隣接するアドバンスト周波数帯域セグメントを、単一キャリアによって伝送されたダウンリンクで受信する手段１３０６が提供される。レガシー制御領域を、レガシー周波数帯域セグメントで受信する手段１３０８が提供される。
【００６１】
図１４では、無線通信システムにおいて帯域幅セグメント化を実行するための装置１４０２が図示される。レガシー周波数帯域セグメントを備えるダウンリンクを、単一キャリアで送信する手段１４０４が提供される。隣接するアドバンスト周波数帯域セグメントを、単一キャリアによって伝送されるダウンリンクで送信する手段１４０６が提供される。レガシー制御領域を、レガシー周波数帯域セグメントで送信する手段１４０８が提供される。
【００６２】
前述したものの利益によって、単一キャリア・アプローチ内で帯域幅セグメント化が提供される。ここで、システム帯域幅は、隣接するいくつかのセグメントに分割される。レガシーＵＥによって見られる帯域幅セグメントは、ＭＩＢで伝送される。レガシーＵＥは、他のセグメントを知らない。対照的に、新たなＵＥ（アドバンスト端末）によって見られる帯域幅セグメントは、追加のＳＩＢで、あるいは、専用シグナリングによって伝送される。いくつかの事例では、アドバンストＵＥは、既存のすべての帯域幅セグメントを知っている。あるいは、アドバンストＵＥは、特に、専用シグナリングによって個々のＵＥベースで通知された場合に、いくつかの帯域幅セグメントを知る。
【００６３】
例えば、システム全体の帯域幅が４０ＭＨｚである場合、中央の２０ＭＨｚ（Ｂ０）は、ＭＩＢ（マスター情報ブロック）で定義されうる。１０ＭＨｚからなるその他の２つのセグメント（Ｂ１およびＢ２）は、追加のＳＩＢ（システム情報ブロック）で定義されるか、または、専用シグナリングによって、アドバンストＵＥへ伝送されうる。レガシーＵＥは、２０ＭＨｚの概念を持っている。制御およびデータ構造はすべて、リリース８に準拠する。アドバンストＵＥは、４０ＭＨｚすべて（例えば、２０ＭＨｚの１つのセグメントと、おのおの１０ＭＨｚの２つのセグメント）の概念を持っている。同期のために、レガシーＰＳＳ／ＳＳＳ（プライマリ同期信号／セカンダリ同期信号）構造が使用される。中央であるレガシー帯域の中心では、すべてのＵＥ（レガシーＵＥおよび新たなＵＥ）は、同じセル探索および同期手順を行う。システム情報ブロードキャストの場合、すべてのＵＥが、レガシーＰＢＣＨ（物理ブロードキャスト・チャネル）で、基本システム情報を取得する。あるＯＦＤＭシンボルのレガシー帯域のうちの中央の７２のトーンは、４つの連続したラジオ・フレームの間に使用される。追加のＳＩＢは、非レガシー端末によってのみ読み取られ、非レガシー端末のおのおのの帯域幅および位置に関連するマルチ・セグメント情報を伝送する。ダウンリンク（ＤＬ）制御に関し、許可のためのレガシー制御領域が維持されている。ＰＣＦＩＣＨ（物理制御フォーマット・インジケータ・チャネル）として定義されたような第１のＯＦＤＭシンボルが、アドバンストＵＥのため、および、レガシーＵＥの制御のために使用される。新たな制御領域は、新たな許可フォーマットが、レガシー・セグメントおよび非レガシー・セグメントを割り当てるためのものである。既存のフォーマットを拡張することにより、より大きな帯域幅のより優れたグラニュラリティが提供される。
【００６４】
新たな制御領域は、例えば、レガシー制御領域が十分ではないような要因に応じて定義され、これによって、フェムト／ピコ・セルの存在に対処し、ビームフォーミングを考慮する。新たな制御領域が、追加のＳＩＢで定義された制御領域の正確な周波数位置を用いて、あるいは、ＵＥ専用のシグナリングによって、データ・チャネル帯域内に位置されうる。例えば、アドバンストＵＥのための新たな制御領域は、全体のスロットに及ぶ必要のないリソース・ブロック（ＲＢ）より小さなビルディング・ブロックを使用して、セグメントのうちの何れの中にもありうる。それに加えて、いくつかの構成は、例えば、ミクロ・スリープをサポートすることや、復調基準信号（ＤＲＳ）を含むことのような、異なるシナリオをサポートしうる。新たな制御領域によって、周波数ダイバース割当およびホッピング、帯域を保護するための周波数調整、および、同期システムのための直交カバーをサポートすることにより、ダイバーシティおよび保護が可能となる。新たなセグメントは、データおよび制御、データのみ、または、制御のみを送信するために使用されうる。アップリンク（ＵＬ）制御は、レガシー・セグメントの端部にレガシー制御領域を保持し、アドバンストＵＥのために、およびレガシーＵＥの制御のために使用される。
【００６５】
明瞭のために、本明細書に記載されたさまざまな態様は、１つのキャリア内の帯域セグメント化に関して実行される。しかしながら、帯域セグメント化は、マルチキャリア・システム内の複数のキャリアに関して実現されうることが本開示の利益とともに認識されるべきである。例えば、３つのキャリアからなるシステムでは、第１のキャリアは、２つの非レガシー（アドバンスト）帯域幅セグメントを有し、第２のキャリアは、４つの非レガシー（アドバンスト）帯域幅セグメントを有し、第３のキャリアには、非レガシー（アドバンスト）帯域幅セグメントが無いことがありうる。
【００６６】
異なるＵＥは、非レガシー帯域幅セグメントに関して異なる知識を有しうる。前の例に続いて、第１のＵＥは、第２のキャリアにおける４つのセグメントのうちの２つを知っている一方、第２のＵＥは、第２のキャリアにおける４つのセグメントすべてを知っていることがありうる。
【００６７】
上述したものは、さまざまな態様の一例を含んでいる。もちろん、さまざまな態様を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、主題とする仕様は、特許請求の範囲の精神およびスコープ内にあるこのようなすべての変更、修正、および変形を含むことが意図されている。
【００６８】
「典型的である」という単語は「例、事例、あるいは実例として役立つ」ことを意味するために本明細書で使用される。本明細書で「典型的である」と記載されたあらゆる実施形態は、他の実施形態によりも好適であるとか有利であるとか解釈される必要は必ずしもない。開示された実施形態は、以下の技術のうちの任意の１つまたは組み合わせに適用されうる。符号分割多元接続（ＣＤＭＡ）システム、マルチ・キャリアＣＤＭＡ（ＭＣ−ＣＤＭＡ）、広帯域ＣＤＭＡ（Ｗ−ＣＤＭＡ）、高速パケット接続（ＨＳＰＡ、ＨＳＰＡ＋）、時分割多元接続（ＴＤＭＡ）システム、周波数分割多元接続（ＦＤＭＡ）システム、直交周波数分割多元接続（ＯＦＤＭＡ）システム、または、その他の多元接続技術。さらに、無線通信システムは、例えばＩＳ−９５、ｃｄｍａ２０００、ＩＳ−８５６、Ｗ−ＣＤＭＡ、ＴＤ−ＳＣＤＭＡ、およびその他の規格のような１または複数の規格を実施するように設計されうる。
【００６９】
特に、上述した構成要素、デバイス、回路、システム等によって実行されるさまざまな機能に関し、これら構成要素を説明するために使用される用語（「手段」の参照を含む）は、特に指定されていない場合、たとえ開示された構成と構成的に等価ではなくても、説明された構成要素（例えば、機能的に等価なもの）の指定された機能を実行し、本明細書に例示された典型的な態様における機能を実行するどの構成要素にも対応していることが意図される。この点に関し、さまざまな態様が、さまざまな方法の動作および／またはイベントを実行するためのコンピュータ実行可能な命令群を有するコンピュータ読取可能媒体のみならずシステムをも含むこともまた認識されるだろう。
【００７０】
さらに、特定の特徴が、いくつかの実施のうちの１つのみに関して開示されうる一方、これら特徴は、与えられた任意のまたは特定のアプリケーションのために好適かつ有利でありうるので、その他の実施のうちの１または複数の他の機能と組み合わされうる。さらにまた、用語「含む」、「含んでいる」、およびこれらの変形が、詳細説明あるいは特許請求の範囲のうちの何れかで使用されている限り、これら用語は、用語「備える」が、用語「備える」と同様に、包括的であることが意図される。さらに、詳細説明または特許請求の範囲の何れかで用いられている用語「または」は、「限定しないまたは」であることが意図されている。
【００７１】
さらに、認識されるように、上記開示されたシステムおよび以下に開示される方法のさまざまな部分は、人工知能、マシン学習、または知識あるいはルール・ベースの構成要素、サブ構成要素、プロセッサ、手段、方法、またはメカニズム（例えば、サポート・ベクトル・マシン、ニューラル・ネットワーク、エキスパート・システム、ベイエジアン・ビリーフ・ネットワーク、ファジー・ロジック、データ融合エンジン、クラシファイヤ等）を含むか、これらから構成される。とりわけ、このような構成要素は、これらシステムおよび方法の一部を、より適応性高くのみならず、効率的および知的に行うために、実行されるあるメカニズムまたは処理を自動化しうる。例として、限定することなく、イボルブドＲＡＭ（例えば、アクセス・ポイント、ｅノードＢ）は、ロバストまたは増大したチェック・ファイルが適用される場合を推論または予測しうる。
【００７２】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバ上で実行中のアプリケーションと、サーバとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。
【００７３】
「典型的である」という単語は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。
【００７４】
さらに、１または複数のバージョンは、開示された態様を実現するために、コンピュータを制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」（または、その代わりに、「コンピュータ・プログラム製品」）は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶デバイス（例えば、ハード・ディスク、フロッピー（登録商標）ディスク、磁気ストリップ）、光ディスク（例えば、コンパクト・ディスク（ＣＤ）、デジタル多用途ディスク（ＤＶＤ））、スマート・カード、およびフラッシュ・メモリ・デバイス（例えば、カード、スティック）を含みうる。さらに、電子メールの送信または受信の際、あるいは、例えばインターネットまたはローカル・エリア・ネットワーク（ＬＡＮ）のようなネットワークにアクセスする際に使用されるようなコンピュータ読取可能電子データを搬送するために、搬送波が適用されうることが認識されるべきである。もちろん、当業者であれば、開示された態様のスコープから逸脱することなく多くの変形が、この構成とされうることを認識するだろう。
【００７５】
さまざまな態様または特徴が、多くのデバイス、構成要素、モジュール等を含むシステムの観点から示されるだろう。さまざまなシステムが、追加の構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。本明細書に開示されたさまざまな態様は、タッチ・スクリーン・ディスプレイ技術および／またはマウス−キーボード・タイプのインタフェースを利用するデバイスを含む電子デバイス上で実行されうる。このようなデバイスの例は、コンピュータ（デスクトップおよびモバイル）、スマート・フォン、携帯情報端末（ＰＤＡ）、および有線および無線の両方のその他の電子デバイスを含む。
【００７６】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される用語である製造物品は、任意のコンピュータ読取可能デバイス、キャリア、または媒体からアクセスすることが可能なコンピュータ・プログラムを含むことが意図される。
【００７７】
任意の特許、出版物、あるいは、全体または一部が本明細書において参照によって組み込まれるべきであると言われたその他の開示資料は、組み込まれた資料が、既存の定義、記述、または、本開示で述べられたその他の開示資料とコンフリクトしない程度までにのみ組み込まれることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度までにのみ組み込まれるだろう。
なお、以下に、出願当初の特許請求の範囲に記載された発明を付記する。
［発明１］無線通信システムにおいて帯域幅セグメント化を実行するための方法であって、
レガシー周波数帯域セグメントを備えるダウンリンクを単一キャリアで受信し、
隣接するアドバンスト周波数帯域セグメントを、前記単一キャリアによって伝送されたダウンリンクで受信し、
レガシー制御領域を、前記レガシー周波数帯域セグメントで受信する、
動作を実現するために、コンピュータ読取可能記憶媒体に格納されたコンピュータ実行可能な命令群を実行するプロセッサを適用することを備える、方法。
［発明２］前記レガシー周波数帯域セグメントを備えるダウンリンクを、レガシー制御領域と少なくとも１つのレガシー・データ領域とを含む前記単一キャリアで受信することと、
アドバンスト・データ領域を備える前記単一キャリアによって伝送されたダウンリンクで、前記隣接するアドバンスト周波数帯域セグメントを受信することと、
前記レガシー制御領域を除外したダウンリンクで、アドバンスト制御領域を受信することと
をさらに備える発明１に記載の方法。
［発明３］前記レガシー周波数帯域セグメントのデータ時間スロット内で、前記アドバンスト制御領域を受信すること、をさらに備える発明２に記載の方法。
［発明４］前記レガシー周波数帯域セグメントの２つのデータ時間スロットにわたって、前記アドバンスト制御領域を受信するために、周波数ホップさせること、をさらに備える発明３に記載の方法。
［発明５］前記隣接するアドバンスト周波数帯域セグメント内で、前記アドバンスト制御領域を受信すること、をさらに備える発明２に記載の方法。
［発明６］物理ダウンリンク制御チャネル（ＰＤＣＣＨ）を受信することにより、前記単一キャリアを受信することをさらに備え、
前記レガシー制御領域は、前記レガシー周波数帯域セグメント内に時間スロットを備える、発明２に記載の方法。
［発明７］物理アップリンク制御チャネル（ＰＵＣＣＨ）を受信することにより、前記単一キャリアを受信することをさらに備え、
前記レガシー制御領域は、データ領域から分離された周波数分割デュプレクス（ＦＤＤ）である、発明２に記載の方法。
［発明８］前記レガシー周波数帯域セグメントの近傍でかつ隣接した、前記隣接するアドバンスト周波数帯域セグメントから分離された第２の隣接するアドバンスト周波数帯域セグメントを受信すること、をさらに備える発明２に記載の方法。
［発明９］２０ＭＨｚのレガシー周波数帯域セグメントによって分離された、１０ＭＨｚの第１の隣接したアドバンスト周波数帯域セグメントと、１０ＭＨｚの第２の隣接したアドバンスト周波数帯域セグメントとを受信すること、をさらに備える発明２に記載の方法。
［発明１０］システム情報ブロードキャストで、前記アドバンスト制御領域に関するブロードキャストされた情報を受信すること、をさらに備える発明２に記載の方法。
［発明１１］専用シグナリングによってブロードキャストされたシステム情報を、受信すること、をさらに備える発明１０に記載の方法。
［発明１２］レガシー周波数帯域と隣接するアドバンスト周波数帯域セグメントとの間のガード帯域の定義を受信すること、をさらに備える発明２に記載の方法。
［発明１３］前記単一キャリアを介して前記レガシー制御領域によって送信されたシステム情報および同期に対する拡張として、アドバンスト制御領域を受信すること、をさらに備える発明２に記載の方法。
［発明１４］無線通信システムにおいて帯域幅セグメント化を実行するためのコンピュータ・プログラム製品であって、
少なくとも１つのプロセッサによって実行された場合、
コンピュータに対して、レガシー周波数帯域セグメントを備えるダウンリンクを、単一キャリアで受信させるための命令群の第１のセットと、
前記コンピュータに対して、前記単一キャリアによって伝送されたダウンリンクで、隣接するアドバンスト周波数帯域セグメントを受信させるための命令群の第２のセットと、
前記コンピュータに対して、前記レガシー周波数帯域セグメントでレガシー制御領域を受信させるための命令群の第３のセットと、
を備える構成要素を実現するコンピュータ実行可能な命令群を格納した少なくとも１つのコンピュータ読取可能記憶媒体を備える、コンピュータ・プログラム製品。
［発明１５］無線通信システムにおいて帯域幅セグメント化を実行するための装置であって、
少なくとも１つのプロセッサと、
少なくとも１つのコンピュータ読取可能記憶媒体とを備え、
前記少なくとも１つのコンピュータ読取可能記憶媒体は、前記少なくとも１つのプロセッサによって実行された場合、
レガシー周波数帯域セグメントを備えるダウンリンクを、単一キャリアで受信する手段と、
隣接するアドバンスト周波数帯域セグメントを、前記単一キャリアによって伝送されたダウンリンクで受信する手段と、
レガシー制御領域を、前記レガシー周波数帯域セグメントで受信する手段と、
を備える、構成要素を実現するコンピュータ実行可能な命令群を格納する、装置。
［発明１６］無線通信システムにおいて帯域幅セグメント化を実行する装置であって、
レガシー周波数帯域セグメントを備えるダウンリンクを単一キャリアで受信し、
隣接するアドバンスト周波数帯域セグメントを、前記単一キャリアによって伝送されたダウンリンクで受信し、
レガシー制御領域を、前記レガシー周波数帯域セグメントで受信する、
ことによって前記ダウンリンクを受信する受信機と、
前記レガシー制御領域を処理するコンピューティング・プラットフォームと、
アップリンクで送信する送信機と
を備える装置。
［発明１７］前記プロセッサはさらに、
前記レガシー周波数帯域セグメントを備えるダウンリンクを、レガシー制御領域と少なくとも１つのレガシー・データ領域とを含む前記単一キャリアで受信し、
アドバンスト・データ領域を備える前記単一キャリアによって伝送されたダウンリンクで、前記隣接するアドバンスト周波数帯域セグメントを受信し、
前記レガシー制御領域を除外したダウンリンクで、アドバンスト制御領域を受信する、
ことによって前記ダウンリンクを受信する、発明１６に記載の装置。
［発明１８］前記プロセッサはさらに、前記レガシー周波数帯域セグメントのデータ時間スロット内で、前記アドバンスト制御領域を受信する、発明１７に記載の装置。
［発明１９］前記プロセッサはさらに、前記レガシー周波数帯域セグメントの２つのデータ時間スロットにわたって、前記アドバンスト制御領域を受信するために、周波数ホップさせる、発明１７に記載の装置。
［発明２０］前記プロセッサはさらに、前記隣接するアドバンスト周波数帯域セグメント内で、前記アドバンスト制御領域を受信する、発明１７に記載の装置。
［発明２１］前記プロセッサはさらに、物理ダウンリンク制御チャネル（ＰＤＣＣＨ）を受信することにより、前記単一キャリアを受信し、
前記レガシー制御領域は、前記レガシー周波数帯域セグメント内に時間スロットを備える、発明１７に記載の装置。
［発明２２］前記プロセッサはさらに、物理アップリンク制御チャネル（ＰＵＣＣＨ）を受信することにより、前記単一キャリアを受信し、
前記レガシー制御領域は、データ領域から分離された周波数分割デュプレクス（ＦＤＤ）である、発明１７に記載の装置。
［発明２３］前記プロセッサはさらに、前記レガシー周波数帯域セグメントの近傍でかつ隣接した、前記隣接するアドバンスト周波数帯域セグメントから分離された第２の隣接するアドバンスト周波数帯域セグメントを受信する、発明１７に記載の装置。
［発明２４］前記プロセッサはさらに、２０ＭＨｚのレガシー周波数帯域セグメントによって分離された、１０ＭＨｚの第１のアドバンスト周波数帯域セグメントと、１０ＭＨｚの第２のアドバンスト周波数帯域セグメントとを受信する、発明１７に記載の装置。
［発明２５］前記プロセッサはさらに、システム情報ブロードキャストで、前記アドバンスト制御領域に関するブロードキャストされた情報を受信する、発明１７に記載の装置。
［発明２６］前記プロセッサはさらに、専用シグナリングによってブロードキャストされたシステム情報を、受信する、発明２５に記載の装置。
［発明２７］前記プロセッサはさらに、レガシー周波数帯域と隣接するアドバンスト周波数帯域セグメントとの間のガード帯域の定義を受信する、発明１７に記載の装置。
［発明２８］前記プロセッサはさらに、前記単一キャリアを介して前記レガシー制御領域によって送信されたシステム情報および同期に対する拡張として、アドバンスト制御領域を受信する、発明１７に記載の装置。
［発明２９］無線通信システムにおいて帯域幅セグメント化を実行するための方法であって、
レガシー周波数帯域セグメントを備えるダウンリンクを単一キャリアで送信し、
隣接するアドバンスト周波数帯域セグメントを、前記単一キャリアによって伝送されるダウンリンクで送信し、
レガシー制御領域を、前記レガシー周波数帯域セグメントで送信する、
動作を実現するために、コンピュータ読取可能記憶媒体に格納されたコンピュータ実行可能な命令群を実行するプロセッサを適用することを備える方法。
［発明３０］前記レガシー周波数帯域セグメントを備えるダウンリンクを、レガシー制御領域と少なくとも１つのレガシー・データ領域とを含む前記単一キャリアで送信することと、
アドバンスト・データ領域を備える前記単一キャリアによって伝送されるダウンリンクで、前記隣接するアドバンスト周波数帯域セグメントを送信することと、
前記レガシー制御領域を除外したダウンリンクで、アドバンスト制御領域を送信することと
をさらに備える発明２９に記載の方法。
［発明３１］第１のサービス提供されたレガシー端末の母集団と、第２のサービス提供されたアドバンスト端末の母集団とを決定することと、
前記第１のサービス提供されたレガシー端末の母集団が、前記第２のサービス提供されたアドバンスト端末の母集団よりも小さいことに応答して、前記レガシー周波数帯域セグメントの定義を、２０ＭＨｚ未満を備えるものとして、メイン情報ブロック（ＭＩＢ）で送信することと
をさらに備える発明３０に記載の方法。
［発明３２］前記レガシー周波数帯域セグメントのデータ時間スロット内で、前記アドバンスト制御領域を送信すること、をさらに備える発明３０に記載の方法。
［発明３３］前記レガシー周波数帯域セグメントの２つのデータ時間スロットにわたって、前記アドバンスト制御領域を周波数ホップさせること、をさらに備える発明３２に記載の方法。
［発明３４］前記隣接するアドバンスト周波数帯域セグメント内で、前記アドバンスト制御領域を送信すること、をさらに備える発明３０に記載の方法。
［発明３５］物理ダウンリンク制御チャネル（ＰＤＣＣＨ）を送信することにより、前記単一キャリアを送信することをさらに備え、
前記レガシー制御領域は、前記レガシー周波数帯域セグメント内に時間スロットを備える、発明３０に記載の方法。
［発明３６］物理アップリンク制御チャネル（ＰＵＣＣＨ）を送信することにより、前記単一キャリアを送信することをさらに備え、
前記レガシー制御領域は、データ領域から分離された周波数分割デュプレクス（ＦＤＤ）である、発明３０に記載の方法。
［発明３７］前記レガシー周波数帯域セグメントの近傍でかつ隣接した、前記隣接するアドバンスト周波数帯域セグメントから分離された第２の隣接するアドバンスト周波数帯域セグメントを送信すること、をさらに備える発明３０に記載の方法。
［発明３８］２０ＭＨｚのレガシー周波数帯域セグメントによって分離された、１０ＭＨｚの第１の隣接したアドバンスト周波数帯域セグメントと、１０ＭＨｚの第２の隣接したアドバンスト周波数帯域セグメントとを送信すること、をさらに備える発明３０に記載の方法。
［発明３９］システム情報ブロードキャストで、前記アドバンスト制御領域に関する情報をブロードキャストすること、をさらに備える発明３０に記載の方法。
［発明４０］専用シグナリングによってブロードキャストされたシステム情報を、アドバンスト端末へ伝送すること、をさらに備える発明３９に記載の方法。
［発明４１］レガシー周波数帯域と隣接するアドバンスト周波数帯域セグメントとの間のガード帯域を定義すること、をさらに備える発明３０に記載の方法。
［発明４２］前記単一キャリアを介してレガシー制御領域によって送信されたシステム情報および同期に対する拡張として、前記アドバンスト制御領域を送信すること、をさらに備える発明３０に記載の方法。
［発明４３］前記アドバンスト制御領域をデータのために送信すること、をさらに備える発明３０に記載の方法。
［発明４４］前記アドバンスト制御領域を制御のために送信すること、をさらに備える発明３０に記載の方法。
［発明４５］前記アドバンスト制御領域をデータおよび制御のために送信すること、をさらに備える発明４４に記載の方法。
［発明４６］サービス提供されたレガシー端末の母集団のデータ要件を判定することと、
前記サービス提供されたレガシー端末の母集団が、より小さな割当で十分にサービス提供されるデータ・レートを有することに応答して、前記レガシー周波数帯域セグメントの定義を、２０ＭＨｚ未満を備えるものとして、メイン情報ブロック（ＭＩＢ）で送信することと
をさらに備える発明３０に記載の方法。
［発明４７］無線通信システムにおいて帯域幅セグメント化を実行するためのコンピュータ・プログラム製品であって、
少なくとも１つのプロセッサによって実行された場合、
コンピュータに対して、レガシー周波数帯域セグメントを備えるダウンリンクを、単一キャリアで送信させるための命令群の第１のセットと、
前記コンピュータに対して、前記単一キャリアによって伝送されるダウンリンクで、隣接するアドバンスト周波数帯域セグメントを送信させるための命令群の第２のセットと、
前記コンピュータに対して、前記レガシー周波数帯域セグメントでレガシー制御領域を送信させるための命令群の第３のセットと、
を備える構成要素を実現するコンピュータ実行可能な命令群を格納した少なくとも１つのコンピュータ読取可能記憶媒体を備えるコンピュータ・プログラム製品。
［発明４８］無線通信システムにおいて帯域幅セグメント化を実行するための装置であって、
少なくとも１つのプロセッサと、
少なくとも１つのコンピュータ読取可能記憶媒体とを備え、
前記少なくとも１つのコンピュータ読取可能記憶媒体は、前記少なくとも１つのプロセッサによって実行された場合、
レガシー周波数帯域セグメントを備えるダウンリンクを、単一キャリアで送信する手段と、
隣接するアドバンスト周波数帯域セグメントを、前記単一キャリアによって伝送されるダウンリンクで送信する手段と、
レガシー制御領域を、前記レガシー周波数帯域セグメントで送信する手段と
を備える構成要素を実現するコンピュータ実行可能な命令群を格納する、装置。
［発明４９］無線通信システムにおいて帯域幅セグメント化を実行するための装置であって、
アップリンクとダウンリンクにリソースを割り当てるスケジューラと、
前記アップリンクを受信する受信機と、
レガシー周波数帯域セグメントを備えるダウンリンクを単一キャリアで送信し、
隣接するアドバンスト周波数帯域セグメントを、前記単一キャリアによって伝送されるダウンリンクで送信し、
レガシー制御領域を、前記レガシー周波数帯域セグメントで送信する、
ことによって前記ダウンリンクを送信する送信機と
を備える装置。
［発明５０］前記送信機はさらに、
前記レガシー周波数帯域セグメントを備えるダウンリンクを、レガシー制御領域と少なくとも１つのレガシー・データ領域とを含む前記単一キャリアで送信し、
アドバンスト・データ領域を備える前記単一キャリアによって伝送されるダウンリンクで、前記隣接するアドバンスト周波数帯域セグメントを送信し、
前記レガシー制御領域を除外したダウンリンクで、アドバンスト制御領域を送信する、
ことによって前記ダウンリンクを送信する、発明４９に記載の装置。
［発明５１］前記スケジューラはさらに、第１のサービス提供されたレガシー端末の母集団と、第２のサービス提供されたアドバンスト端末の母集団とを決定し、
前記送信機はさらに、前記第１のサービス提供されたレガシー端末の母集団が、前記第２のサービス提供されたアドバンスト端末の母集団よりも小さいことに応答して、前記レガシー周波数帯域セグメントの定義を、２０ＭＨｚ未満を備えるものとして、メイン情報ブロック（ＭＩＢ）で送信する、発明５０に記載の装置。
［発明５２］前記送信機はさらに、前記レガシー周波数帯域セグメントのデータ時間スロット内で、前記アドバンスト制御領域を送信する、発明５０に記載の装置。
［発明５３］前記送信機はさらに、前記レガシー周波数帯域セグメントの２つのデータ時間スロットにわたって、前記アドバンスト制御領域を周波数ホップさせる、発明５２に記載の装置。
［発明５４］前記送信機はさらに、前記隣接するアドバンスト周波数帯域セグメント内で、前記アドバンスト制御領域を送信する、発明５０に記載の装置。
［発明５５］前記送信機はさらに、物理ダウンリンク制御チャネル（ＰＤＣＣＨ）を送信することにより、前記単一キャリアを送信し、
前記レガシー制御領域は、前記レガシー周波数帯域セグメント内に時間スロットを備える、発明５０に記載の装置。
［発明５６］前記送信機はさらに、物理アップリンク制御チャネル（ＰＵＣＣＨ）を送信することにより、前記単一キャリアを送信し、
前記レガシー制御領域は、データ領域から分離された周波数分割デュプレクス（ＦＤＤ）である、発明５０に記載の装置。
［発明５７］前記送信機はさらに、前記レガシー周波数帯域セグメントの近傍でかつ隣接した、前記隣接するアドバンスト周波数帯域セグメントから分離された第２の隣接するアドバンスト周波数帯域セグメントを送信する、発明５０に記載の装置。
［発明５８］前記送信機はさらに、２０ＭＨｚのレガシー周波数帯域セグメントによって分離された、１０ＭＨｚの第１の隣接したアドバンスト周波数帯域セグメントと、１０ＭＨｚの第２の隣接したアドバンスト周波数帯域セグメントとを送信する、発明５０に記載の装置。
［発明５９］前記送信機はさらに、システム情報ブロードキャストで、前記アドバンスト制御領域に関する情報をブロードキャストする、発明５０に記載の装置。
［発明６０］前記送信機はさらに、専用シグナリングによってブロードキャストされたシステム情報を、アドバンスト端末へ伝送する、発明５９に記載の装置。
［発明６１］前記送信機はさらに、レガシー周波数帯域と前記隣接するアドバンスト周波数帯域セグメントとの間のガード帯域を定義する、発明５０に記載の装置。
［発明６２］前記送信機はさらに、前記単一キャリアを介して前記レガシー制御領域によって送信されたシステム情報および同期に対する拡張として、前記アドバンスト制御領域を送信する、発明５０に記載の装置。
［発明６３］前記送信機はさらに、前記アドバンスト制御領域をデータのために送信する、発明５０に記載の装置。
［発明６４］前記送信機はさらに、前記アドバンスト制御領域を制御のために送信する、発明５０に記載の装置。
［発明６５］前記送信機はさらに、前記アドバンスト制御領域をデータおよび制御のために送信する、発明６４に記載の装置。
［発明６６］前記スケジューラはさらに、サービス提供されたレガシー端末の母集団のデータ要件を判定し、
前記送信機はさらに、前記サービス提供されたレガシー端末の母集団が、より小さな割当で十分にサービス提供されるデータ・レートを有することに応答して、前記レガシー周波数帯域セグメントの定義を、２０ＭＨｚ未満を備えるものとして、メイン情報ブロック（ＭＩＢ）で送信する、発明５０に記載の装置。
【図１】
0005661736.tif 000002
【図２】
0005661736.tif 000003
【図３】
0005661736.tif 000004
【図４】
0005661736.tif 000005
【図５】
0005661736.tif 000006
【図６】
0005661736.tif 000007
【図７】
0005661736.tif 000008
【図８】
0005661736.tif 000009
【図９】
0005661736.tif 000010
【図１０】
0005661736.tif 000011
【図１１】
0005661736.tif 000012
【図１２】
0005661736.tif 000013
【図１３】
0005661736.tif 000014
【図１４】
0005661736.tif 000015